(57)【特許請求の範囲】
【請求項１】
少なくとも表面、裏面および側面を有し、裏面に一本以上の端子を突出させて設けた立体の電子部品を収容する包装箱において、
帯状の材料の幅方向に折曲線を設定し、該折曲線に沿って折り曲げることにより、環状の箱を形成する構造を有し、
前記環状の箱は、順に第１の包装側面部、第１の包装連結面部、包装上面部、第２の連結面部、第２の包装側面部および包装下面部とを有し、
前記第１、第２の包装連結面部および包装上面部の少なくとも一面は前記電子部品の端子に対応する位置が切欠かれると共に、前記環状の箱状態を保持する締結手段を備え、
前記電子部品が収容されたとき、前記第１、第２の包装連結面部は、前記包装上面部で前記電子部品の裏面を押圧する方向に配置され、前記第１、第２の包装側面部はそのそれぞれの上面を結ぶ直線が前記電子部品の端子上端を超える高さである
ことを特徴とする電子部品包装箱。
【請求項２】
請求項１において、
前記電子部品の端子は裏面の左右に列状に配置され、前記切欠の外側に、電子部品の左右の端面を押える傾斜した押え片を形成した
ことを特徴とする電子部品包装箱。
【請求項３】
請求項２において、
少なくとも片側の押え片の外側に、切欠を介して別の押え片を形成した
ことを特徴とする電子部品包装箱。
【発明の詳細な説明】
【０００１】
【産業上の利用分野】
本発明は、例えば電源装置や、プリント基板上に実装される電子部品等のように、一面に一本以上の端子を形成した電子部品を包装する包装箱に関する。
【０００２】
【従来の技術】
図４（Ｂ）は、オンボードタイプの電源装置を収容する包装箱であり、この種の従来の包装箱は、帯状の紙３０の中に、裏面に端子３１を有する電子部品３２を、裏面を上向きにして収容し、かつ裏面上に段ボール紙等からなる端子保護用のスペーサ３４を載せて該スペーサ３４を覆うように折り曲げ、先端の折り曲げ片３５をテープ３６によって箱の面に固定することにより構成していた。このようなスペーサ構造を採用する例として、特開平３−２４０６４４号公報に開示されたものがあり、該公報には、収容物の両端に緩衝部材を装填している。
【０００３】
【発明が解決しようとする課題】
上述のようにスペーサ３４によって端子３３が外部物体と衝突することを防止し保護する構造の包装箱においては、スペーサ３４が箱と別部品になるため、コストアップにつながり、また、スペーサ３４を装填する作業が必要となる。また、端子３３が長くなると、段ボール紙を折り畳んで厚みを確保する必要があり、構造が複雑化する。また、端子の長さに応じて各種のスペーサを用意する必要がある。
【０００４】
本発明は、上記した問題点に鑑み、帯状材料の折り曲げ作業だけで端子の保護スペースを確保でき、もって部品点数の削減と工数の低減が図れ、かつ端子の長さに対応した各種のスペーサを要することのない構造の電子部品包装箱を提供することを目的とする。
【０００５】
【課題を解決するための手段】
本発明による電子部品包装箱は、少なくとも表面、裏面および側面を有し、裏面に一本以上の端子を突出させて設けた立体の電子部品を収容する包装箱において、
帯状の材料の幅方向に折曲線を設定し、該折曲線に沿って折り曲げることにより、環状の箱を形成する構造を有し、
前記環状の箱は、順に第１の包装側面部、第１の包装連結面部、包装上面部、第２の連結面部、第２の包装側面部および包装下面部とを有し、
前記第１、第２の包装連結面部および包装上面部の少なくとも一面は前記電子部品の端子に対応する位置が切欠かれると共に、前記環状の箱状態を保持する締結手段を備え、
前記電子部品が収容されたとき、前記第１、第２の包装連結面部は、前記包装上面部で前記電子部品の裏面を押圧する方向に配置され、前記第１、第２の包装側面部はそのそれぞれの上面を結ぶ直線が前記電子部品の端子上端を超える高さである
ことを特徴とする（請求項１）。
【０００６】
また、本発明の電子部品包装箱は、前記電子部品の端子は裏面の左右に列状に配置され、前記切欠の外側に、電子部品の左右の端面を押える傾斜した押え片を形成した
ことを特徴とする（請求項２）。
【０００７】
また、本発明の電子部品包装箱は、少なくとも片側の押え片の外側に、切欠を介して別の押え片を形成した
ことを特徴とする（請求項３）。
【０００８】
【作用】
請求項１においては、第１、第２の包装側面部と包装上面部との間に設けられた第１、第２の包装連結面部が、電子部品が収容されたとき、その裏面を包装上面部で押圧する方向に配置されているので、スペーサの機能を発揮する。
【０００９】
請求項２においては、両側の押え片を電子部品の端面に当接させることにより、横ずれを防止する。
【００１０】
請求項３においては、左右の幅が異なる複数種類の電子部品について、少なくとも一部の押え片については異なる押え片を使用して横ずれを防止し、異なる切欠を使用して端子を突出させることにより、共通の包装箱を使用して複数種類の電子部品を包装することが可能となる。
【００１１】
【実施例】
図１（Ａ）、（Ｂ）はそれぞれ本発明による包装箱の一実施例を示す側面図および平面図、図２は本実施例の包装箱の折り曲げ前の状態および包装する電子部品を示す斜視図、図３（Ａ）は本実施例の各部寸法図、図３（Ｂ）は折目に設ける切目を示す断面図、図４（Ａ）は本実施例の包装箱により電子部品を包装した状態を一部破断した状態で示す斜視図である。
【００１２】
図２、図３に示すように、本実施例の包装箱は帯状材料１に幅方向に折目２ａ〜２ｈを設けて折り曲げることにより構成するものである。帯状材料１は、段ボール、あるいは段ボールの表面に紙や樹脂層をコートしたコートボールもしくは厚紙、プラスチック製薄板等が用いられる。
【００１３】
図３（Ｂ）に示すように、各折目２ａ〜２ｈには１ケ所または間隔をおいて複数の切目３を設けることにより、折目の箇所を特定し、かつ折り曲げを容易とする。
【００１４】
図２に示すように、包装すべき電子部品４は、裏面４ａの左右にそれぞれ複数本の端子５、５を列状に突出させて配設したものである。
【００１５】
図３（Ａ）において、帯状材料１は、折り曲げ始端（左側）から、折目２ａ、２ｄ〜２ｈを挟んで、電子部品の一方の側面４ｂに対向する第１の包装側面部６と、電子部品の裏面に対向する包装上面部７と、前記包装上面部７の両側に設けられた第１、第２の包装連結面部７ａ、７ｂと、電子部品の他方の側面４ｃに対向する第２の包装側面部８と、電子部品の表面４ｄの包装下面部９と、前記第１の包装側面部６の外面に重ねる第３の包装側面部１０と  前記包装上面部７の外面に重ねる平板部１１と、該平板部１１の先端に折り曲げ形成され、前記第２の包装側面部８に重ねる第４の包装側面部１２とを形成する。
【００１６】
また、前記包装上面部７に、前記左右の端子５を通す切欠１３を設けると共に、該切欠１３の外側に、電子部品の左右の端面４ｅ、４ｅを押える傾斜した押え片１４を、それぞれ先端が対向するように２個ずつ形成する。
【００１７】
前記包装上面部７の長さｉは包装下面部９の長さｂおよび平板部１１の長さｃ以下で、第１、第２の包装連結面部７ａ、７ｂの長さｈと共に、電子部品の裏面を適切に押圧できる長さに設定される。実施例においては、ｉ＝４８ｍｍ、ｈ＝７．５ｍｍ、ｂ＝５２ｍｍ、ｃ＝５２．５ｍｍ、第１の包装側面部の長さｄ＝１３ｍｍ、第２の包装側面部８の長さｅ＝１５．５ｍｍ、第３の包装側面部１０の長さｆ＝１６ｍｍ、第４の包装側面部１２の長さｇ＝１６ｍｍ、全体の幅ｊ＝５９ｍｍ、切欠１３の幅ｋ＝５．５ｍｍ、押え片１４の幅ｍ＝８．５ｍｍ、押え片の長さｎ＝１５ｍｍとした。なお、押え片１４の先端の内側には、テーパー部１４ａを形成した。
【００１８】
この包装箱により電子部品４を包装する場合は、図１（Ａ）、（Ｂ）および図４（Ａ）に示すように、包装下面部９上に電子部品４の表面４ｄ側を下にして載せ、折目２ａ〜２ｅで折り曲げて包装上面部７の切欠１３より端子５を出し、第１の包装側面部６、包装上面部７、第２の包装側面部８をそれぞれ電子部品４の一方の側面部４ｂ、裏面部４ａ、他方の側面部４ｃにそれぞれ対向させる。
【００１９】
その後、折目２ｆ〜２ｈで折り曲げて、第３の包装側面部１０、平板部１１、第４の包装側面部１２をそれぞれ第１の包装側面部６の外面、包装上面部７の外面、第２の包装側面部８の外面に被せる。
【００２０】
そして、第４の包装側面部１２と包装下面部９間を粘着テープ１５によって固定することにより、該粘着テープ１５と、第３の包装側面部１０と、平板部１１と、第４の包装側面部１２とにより締結手段を構成し、全体の箱形状を保持する。なお、第４の包装側面部１２を第２の包装側面部８に接着剤により接着するか、あるいは第４の包装側面部１２を延長して包装下面部９まで接着あるいはテープ付けするようにしてもよい。また、第４の包装側面部１２の長さを第２の包装側面部８の長さより短くして接着あるいはテープ付けしてもよい。
【００２１】
この状態においては、包装上面部７の長さｉが包装下面部９や平板部１１の長さ以下であり、包装上面部７により電子部品の裏面４ａを押圧するように包装連結面部７ａ、７ｂの長さ、方向が設定されていることにより、平板部１１と第３、４の包装側面部１０、１２間で抱え込むと、包装上面部７が電子部品４の裏面４ａ側に突出する。そして電子部品４の裏面４ａを包装上面部７で包装連結面部７ａ、７ｂを介して押えることにより、包装上面部７が包装連結面部７ａ、７ｂの弾性により、緩衝材として作用すると共に、裏面４ａと平板部１１との間に端子５の長さ以上のスペースを形成してスペーサとして作用する。
【００２２】
また、押え片１４は、電子部品４の端面４ｅに対向し、電子部品４の端面を押え片１４で受けることにより、電子部品４のずれを防止する。本実施例においては、押え片１４の先端の内側の辺が先細りとなるようにテーパー部１４ａとして形成しており、しかも、包装連結面部７ａ、７ｂと根本部分が連続しているので、包装上面部７を押え込んで電子部品４の端面４ｅより下に押え片１４を押し込む場合、テーパー部１４ａにより電子部品４が押されて電子部品４が押え片１４間にセットされる。
【００２３】
図５は本発明の他の実施例を示す斜視図、図６（Ａ）、（Ｂ）はそれぞれサイズの異なる２種類の電子部品を本実施例の包装箱に収容した状態を示す一部断面平面図である。
【００２４】
図５、図６の実施例においては、包装上面部７の片側の押え片１４の外側に、切欠１３Ａを介して別の押え片１４Ａを形成したものである。本実施例においては、図６（Ａ）に示すように、端面間の幅が小さい電子部品４Ａの場合には、押え片１４、１４間で電子部品４Ａの端面４ｅ、４ｅを対向させ、かつ端子５、５は両端の切欠１３、１３に通すことにより収容し、一方端面間の幅が大きい電子部品４Ｂについては、押え片１４、１４Ａ間で電子部品４Ｂの端面４ｅ、４ｅを対向させ、かつ端子５、５は両端の切欠１３、１３Ａに通して収容することにより、いずれの場合にも収容可能であり、１種類の包装箱をサイズの異なる複数種類の電子部品に用いることを可能とすることにより、経済化が達成できる。
【００２５】
上記実施例においては、いずれも押え片１４あるいは１４Ａを包装上面部７の両側に形成した例について示したが、端子５の強度が大である場合には、左右の端子５、５間で包装上面部７を挟むことにより、電子部品４のずれ防止機能を発揮することができ、押え片１４を省略することができる。また、包装連結面部７ａ、７ｂを垂直部として形成することもできる。また、図１（Ａ）に２点鎖線で示すように、包装箱全体をゴムやテープ等の締結手段２０によって締結することによって箱形状を保持するようにしてもよく、爪とスリットとを設け、スリットに爪を挿入して締結しても良い。
【００２６】
図７は本発明の他の実施例であり、（Ａ）は収容する電子部品を示す斜視図、（Ｂ）は包装箱に電子部品を収容した状態を示す断面図である。収容される電子部品４Ｄは両側面４ｆ、４ｇがそれぞれ二つの面から構成された変形部品である。包装箱を構成する帯状材料２１は、始端部に第１の包装側面部６、その終端部に第１の包装連結面部７ａが形成され、その間に包装下面部９、第２の包装側面部８、包装連結面部７ｂ、包装上面部７が形成されて環状をなしている。
【００２７】
締結手段２２は梱包装用プラスチックフィルムを巻き付けることにより構成する。なお、本実施例において、帯状材２１の始端部、終端部は６〜９で示す各面部の途中あるいは各面部の間のコーナー部にあってもよく、面の途中あるいはコーナー部で接続することにより、環状の箱を構成することができる。またコーナー部においては、折目や切目は必ずしも必要ではなく、自動プレス機等を用いて折り曲げてもよい。
【００２８】
図８は本発明の他の実施例であり、（Ａ）は収容する電子部品を示す斜視図、（Ｂ）は包装箱に電子部品を収容した状態を示す断面図である。収容される電子部品４Ｅは、基板２４の裏面に端子５を突設し、表面に電子部品２３を搭載すると共に、放熱器２５Ａ、２５Ｂを取付けたものである。放熱器２５Ａ、２５Ｂは高さ寸法が異なる例を示すが、同じ高さ寸法の場合もある。
【００２９】
本実施例においては、包装箱２６は始端、終端のない環状のプラスチック成形体でなり、例えばポリプロピレン等の適度な剛性、弾性を有し、途中に折目２６ａ〜２６ｆを形成して折り曲げ易くしている。図８（Ｂ）における各部の符号のうち同符号は、前記実施例における同じ機能を発揮する部分を示す。包装上面部７を基板２４に押し付けるための締結手段２７は、蓋またはテープにより構成される。
【００３０】
【発明の効果】
請求項１によれば、１枚の帯状材料を折り曲げてスペース機能を発揮する包装上面部が形成されるため、構造が簡素化されると共に、部品点数が減少し、かつスペーサ装填の工程を省略することができ、これにより、包装箱のコスト低減を図ることができる。また、包装上面部の両側の包装連結面部を傾斜面に形成すれば、包装上面部に緩衝機能を持たせることができ、振動衝撃による損傷を防止した構造が実現され、使用材料の幅も広がる。また、１枚の帯状材料によって包装箱が実現され、作業性が改善され、自動化も容易となる。
【００３１】
請求項２によれば、両側の押え片によって電子部品の端面を受けることにより、電子部品の横ずれが防止され、端子の断面形状が小さい場合においても、本発明の適用が可能となる。
【００３２】
請求項３によれば、左右の幅が異なる複数種類の電子部品においても、使用する切欠、押え片の少なくとも一部を変えることによって包装することができ、共通の包装箱を使用して複数種類の電子部品を包装することが可能となり、経済化が達成できる。
【図面の簡単な説明】
【図１】（Ａ）、（Ｂ）はそれぞれ本発明による包装箱の一実施例を示す側面図および平面図である。
【図２】本実施例の包装箱の包装前の包装箱と電子部品を示す斜視図である。
【図３】（Ａ）は本実施例の各部の寸法関係を示す平面図、（Ｂ）は本実施例における折目の断面図である。
【図４】（Ａ）は本実施例の全体を示す一部破断斜視図、（Ｂ）は従来の包装箱の側面図である。
【図５】本発明の他の実施例の包装箱の包装前の包装箱と電子部品を示す斜視図である。
【図６】（Ａ）、（Ｂ）は図５の実施例の包装箱にそれぞれサイズの小さな電子部品と大きな電子部品を収容した状態を示す一部断面平面図である。
【図７】本発明の他の実施例であり、（Ａ）は収容する電子部品を示す斜視図、（Ｂ）は包装箱に電子部品を収容した状態を示す断面図である。
【図８】本発明の他の実施例であり、（Ａ）は収容する電子部品を示す斜視図、（Ｂ）は包装箱に電子部品を収容した状態を示す断面図である。
【符号の説明】
１、２１：帯状材料、２ａ〜２ｈ：折目、３：切目、４、４Ａ、４Ｂ、４Ｄ、４Ｅ：電子部品、４ａ：裏面、４ｂ、４ｃ：側面、４ｄ：表面、４ｅ：端面、５：端子、６：第１の包装側面部、７：包装上面部、７ａ、７ｂ：包装連結面部、８：第２の包装側面部、９：包装下面部、１０：第３の包装側面部、１１：平板部、１２：第４の包装側面部、１３、１３Ａ：切欠、１４、１４Ａ：押え片、２０、２２、２７：締結手段、２３：電子部品、２４：基板、２５：放熱器、２６：包装箱
【図１】
0003745512.tif 000002
【図２】
0003745512.tif 000003
【図３】
0003745512.tif 000004
【図４】
0003745512.tif 000005
【図５】
0003745512.tif 000006
【図６】
0003745512.tif 000007
【図７】
0003745512.tif 000008
【図８】
0003745512.tif 000009